(57)【要約】    【課題】  本発明は、非接触型近接通信モジュールを搭載して成り、この非接触型近接通信モジュールのアンテナユニットにおけるループ状のアンテナ線を、機器筐体の内部における所定の位置に設置して成る電子機器を対象とし、製造時における作業性(生産性)の向上、およびアンテナ性能(通信性能)の向上を達成し得る電子機器の提供を目的としている。    【解決手段】  本発明は、機器筐体に対するアンテナ線の設置態様に倣った形状を呈するストッパブロックを具備し、このストッパブロックを機器筐体に組付けることで、アンテナ線の長手方向に延びる連続した部位を保持するよう構成している。  また、本発明は、アンテナ線に近接する金属部品との間に位置する態様で、ストッパブロックに磁性体シートを取付けることにより、磁性体シートの取付けに関わる作業の集約化を図っている。    【選択図】  図３
2008136105.tif 000002
【特許請求の範囲】
【請求項１】
非接触型近接通信モジュールを搭載し、該非接触型近接通信モジュールのアンテナユニットにおけるループ状のアンテナ線を、機器筐体の内部に設置して成る電子機器であって、
前記機器筐体に対する前記アンテナ線の設置態様に倣った形状を呈するストッパブロックを具備し、
前記機器筐体に組付けた前記ストッパブロックにより、前記アンテナ線を長手方向に沿って連続して保持することを特徴とする電子機器。
【請求項２】
前記ストッパブロックに、前記アンテナ線に近接する金属部品との間に位置する態様で、磁性体シートを取付けて成ることを特徴とする請求項１記載の電子機器。
【発明の詳細な説明】
【技術分野】
【０００１】
本発明は、非接触型近接通信モジュールを搭載して成り、該非接触型近接通信モジュールのアンテナユニットにおけるループ状のアンテナ線を、機器筐体の内部に設置して成る電子機器に関するものである。
【背景技術】
【０００２】
例えば、ＩＣカードにアンテナ等の通信モジュールを組込み、リーダ／ライターとの間で情報の読み書きを行うことで、上記ＩＣを電子マネーやＩＤ(身分証明)カードとして使用する非接触型近接通信技術が提供されており、昨今では上述した通信技術を採用した携帯電話機も数多く提供されている(例えば、特許文献１参照)。
【０００３】
図１０〜図１２に示した携帯電話機Ａは、操作部(図示せず)等を備えた下筐体Ｂと、液晶表示部(図示せず)等を備えた上筐体Ｃとが、ヒンジ部Ｈを介して互いに開閉自在に連結されており、上記下筐体Ｂの内部には非接触型近接通信モジュールが搭載されている。
【０００４】
下外ケースＢｏと下内ケースＢｉとを互いに組付けて成る下筐体Ｂの内部には、回路基板ＥおよびアンテナユニットＵが収容設置されており、上記アンテナユニットＵは、アンテナ基板Ｕｂにアンテナ線(同軸ケーブル)Ｕａをループ状に接続して成り、上記回路基板Ｅに実装された通信ＩＣチップ(図示せず)と、上記アンテナユニットＵのアンテナ基板Ｕｂとを接続することで、非接触型近接通信モジュールが構成されている。
【０００５】
また、上記アンテナユニットＵにおけるループ状のアンテナ線Ｕａは、下外ケースＢｏの内部に形成されたリブＢｌに倣って敷設されており、上記リブＢｌの要所に形成された多数の爪Ｂｐ、Ｂｐ…に係止されて、下外ケースＢｏの所定位置に設置されている。
【０００６】
一方、下筐体Ｂの内部において、アンテナユニットＵのアンテナ線Ｕａは、回路基板Ｅに実装されたコネクタＥｃやシールドケースＥｓ等の金属部品と近接するため、これら金属部品によってアンテナ線Ｕａの磁力が逃げてしまい、下筐体Ｂの表面から外方へ出て行く磁力が低減して通信性能(アンテナ性能)の低下を招くことのないよう、上記アンテナ線Ｕａに近接する金属部品(Ｅｃ、Ｅｓ)の表面には、例えば金属箔等から成る磁性体シートＭｃ、Ｍｓを貼り付けている。
【特許文献１】特開２００４−２５２８０４号公報
【発明の開示】
【発明が解決しようとする課題】
【０００７】
ところで、上述した従来の構成においては、アンテナユニットＵにおけるループ状のアンテナ線Ｕａを、下外ケースＢｏに形成された多数の爪Ｂｐ、Ｂｐ…に係止させて敷設しているため、下外ケースＢｏにアンテナユニットＵのアンテナ線Ｕａを取付ける際、下外ケースＢｏに形成された多数の爪Ｂｐ、Ｂｐ…の１つ１つに、アンテナ線Ｕａの要所要所を係止させなければならず、アンテナユニットＵにおけるアンテナ線Ｕａの取付け作業が極めて繁雑なものとなっていた。
【０００８】
さらに、下外ケースＢｏに取付けられたアンテナユニットＵのアンテナ線Ｕａは、下外ケースＢｏに形成された多数の爪Ｂｐ、Ｂｐ…によって、要所を「点」で保持されているに過ぎないため、上記アンテナ線Ｕａが波打つ様に変形することがあり、アンテナ性能(通信性能)の低下を招く不都合があった。
【０００９】
また、上述した従来の構成においては、回路基板ＥにアンテナユニットＵのアンテナ線Ｕａと近接する複数の金属部品(Ｅｃ、Ｅｓ)が存在する場合、複数の金属部品(Ｅｃ、Ｅｓ)の１つ１つに磁性体シート(Ｍｃ、Ｍｓ)を貼り付ける作業が繁雑であり、携帯電話機Ａの製造時における生産性の低下を招いていた。
【００１０】
本発明の目的は、上記実状に鑑みて、製造時における作業性(生産性)の向上、およびアンテナ性能(通信性能)の向上を達成し得る電子機器の提供を目的としている。
【課題を解決するための手段】
【００１１】
請求項１の発明に関わる電子機器は、非接触型近接通信モジュールを搭載し、該非接触型近接通信モジュールのアンテナユニットにおけるループ状のアンテナ線を、機器筐体の内部に設置して成る電子機器であって、機器筐体に対するアンテナ線の設置態様に倣った形状を呈するストッパブロックを具備し、機器筐体に組付けたストッパブロックにより、アンテナ線を長手方向に沿って連続して保持することを特徴としている。
【００１２】
また、請求項２の発明に関わる電子機器は、請求項１記載の電子機器において、アンテナ線に近接する金属部品との間に位置する態様で、ストッパブロックに磁性体シートを取付けて成ることを特徴としている。
【発明の効果】
【００１３】
請求項１の発明に関わる電子機器においては、機器筐体に組付けたストッパブロックにより、アンテナ線が長手方向に沿って連続して保持されるため、アンテナ線を係止するための爪を数多く形成する必要がなく、もって多数の爪の１つ１つにアンテナ線を係止させる作業が削減され、機器筐体に対するアンテナ線の取付け作業を格段に容易なものとすることができる。
【００１４】
また、請求項１の発明に関わる電子機器においては、機器筐体に組付けたストッパブロックにより、アンテナ線が長手方向に沿って連続して保持されるため、機器筐体に形成した多数の爪でアンテナ線を係止する構成と比べ、上記アンテナ線の不用意な変形を可及的に抑制することが可能となり、もってアンテナ性能(通信性能)の大幅な向上を達成することができる。
【００１５】
また、請求項２の発明に関わる電子機器においては、ストッパブロックに磁性体シートを取付けて、アンテナ線に近接する金属部品との間に磁性体シートを位置させたことで、アンテナ線に近接する金属部品が複数存在する場合でも、上記金属部品の１つ１つに磁性体シートを取り付ける作業に比べ、磁性体シートの取り付け作業を集約でき、もって電子機器の製造時における生産性を向上させることができる。
【発明を実施するための最良の形態】
【００１６】
以下、実施例を示す図面に基づいて、本発明を詳細に説明する。  
図１〜図９は、本発明に関わる電子機器、すなわち非接触型近接通信モジュールを搭載した電子機器の一実施例である携帯電話機を示しており、この携帯電話機１は図１に示すように、操作部(図示せず)等を備えた下筐体２と、液晶表示部(図示せず)等を備えた上筐体３とが、ヒンジ部４を介して互いに開閉自在に連結されており、上記下筐体２の内部には非接触型近接通信モジュールが搭載されている。
【００１７】
下外ケース２ｏと下内ケース２ｉとを互いに組付けて成る下筐体２の内部には、回路基板５(図５参照)およびアンテナユニット６が収容設置されており、このアンテナユニット６は、アンテナ基板６ｂにアンテナ線(同軸ケーブル)６ａをループ状に接続して成り、上記回路基板５に実装された通信ＩＣチップ(図示せず)と、上記アンテナユニット６のアンテナ基板６ｂとを接続することで、非接触型近接通信モジュールが構成されている。
【００１８】
また、図２および図３に示す如く、上記アンテナユニット６のアンテナ線６ａは、下外ケース２ｏの内部に形成されたリブ２ｌに倣って略矩形状に敷設されており、上記リブ２ｌに形成された３箇所の爪２ｐと、上記リブ２ｌに係止された後述するストッパブロック７とによって、下外ケース２ｏにおける所定位置に設置されている。
【００１９】
上記ストッパブロック７は、下外ケース２ｏと同様に、樹脂材料のモールド品から構成され、上述の如く略矩形状に敷設されたアンテナ線６の設置態様に倣った略Ｌ字状の平面形を呈しており、アンテナ線６ａに沿って下外ケース２ｏの長手方向に延びる縦アーム部７Ａと、アンテナ線６ａに沿って下外ケース２ｏの幅方向に延びる短アーム部７Ｂとを有している。
【００２０】
上記ストッパブロック７は、図６の如く縦アーム部７Ａの端部の爪７ｐと、図７の如く横アーム部７Ｂの縁部の爪７ｐとが、下外ケース２ｏにおけるリブ２ｌの爪２ｐ、２ｐと係合するとともに、図８の如く縦アーム部７Ａの端部の爪７ｐ、７ｐが、下外ケース２ｏにおける開口縁部２ｅ、２ｅと係合することによって、下外ケース２ｏに組み付けられている。
【００２１】
また、上述の如く下外ケース２ｏに組み付けられたストッパブロック７により、図７および図８に示す如くアンテナ線６ａが下外ケース２ｏに保持され、しかも上記アンテナ線６ａは、自身の長手方向に沿った大半の部位を、上記ストッパブロック７の縦アーム部７Ａおよび横アーム部７Ｂにより、連続した状態(一様に平坦な状態)において保持されることとなる。
【００２２】
一方、上記ストッパプロック７における縦アーム部７Ａの複数箇所には、金属箔等から成る磁性体シート８Ａ、８Ｂが、例えば両面接着テープを介して貼り付けられている。
【００２３】
ここで、図５は下筐体Ｂの内部において、回路基板５に実装されたマイクロＳＤコネクタ１０、シールドケース１１およびインターフェイスコネクタ１２等の金属部品と、アンテナユニット６におけるアンテナ線６ａとの相対位置を示しており、上記磁性体シート８Ａは、マイクロＳＤコネクタ１０およびシールドケース１１とアンテナ線６ａとの間に位置する態様で、上記ストッパプロック７(縦アーム部７Ａ)に取り付けられている。
【００２４】
また、上記磁性体シート８Ｂは、インターフェイスコネクタ１２とアンテナ線６ａとの間に位置する態様で、上記ストッパプロック７(縦アーム部７Ａ)に取り付けられており、上述した如くストッパプロック７に磁性体シート８Ａと磁性体シート８Ｂとを取付けたことで、アンテナ線６ａの磁力がマイクロＳＤコネクタ１０等の金属部品に逃げることを防止でき、もって通信性能(アンテナ性能)の低下が未然に防止されることとなる。
【００２５】
因みに、ストッパブロック７の縦アーム部７Ａにおける所定箇所に、リブ等の位置決め手段を設けておくことで、ストッパブロック７に対する磁性体シート８Ａ、８Ｂの取付け作業が容易なものとなることは言うまでもない。
【００２６】
上述した如き構成の携帯電話機１によれば、下筐体２(下外ケース２ｏ)に組付けたストッパブロック７により、アンテナ線６ａが長手方向に沿って連続して保持されるため、アンテナ線６ａを係止するための爪２ｐを数多く形成する必要がなく、多数の爪の１つ１つにアンテナ線を係止させていた従来構造における繁雑な作業が削減され、もってアンテナユニット６におけるアンテナ線６ａの取付け作業を格段に容易なものとすることが可能となる。
【００２７】
また、上記構成の携帯電話機１によれば下筐体２(下外ケース２ｏ)に組付けたストッパブロック７により、アンテナ線６ａが長手方向に沿って連続して保持されるため、機器筐体に形成した多数の爪でアンテナ線を係止する従来の構成と比較して、アンテナ線６ａの不用意な変形(波打ち等)を可及的に抑えることができ、もってアンテナ性能(通信性能)を大幅に向上させることが可能となる。
【００２８】
さらに、上記構成の携帯秘電話機１によれば、ストッパブロック７に磁性体シート８Ａ、８Ｂを取付けて、アンテナ線６ａに近接する金属部品との間に磁性体シート８Ａ、８Ｂを位置させたことで、アンテナ線６ａに近接する金属部品が複数に及ぶ場合でも、上記金属部品の１つ１つに磁性体シートを取り付けていた従来構造での作業に比べ、磁性体シート８Ａ、８Ｂの取り付け作業を集約でき、もって電子機器の製造時における生産性を向上させることが可能となる。
【００２９】
また、磁性体シート８Ａ、８Ｂをストッパブロック７に取付け、これらを１つのユニット(パーツ)に構成したことで、部品管理が簡易化されるとともに、製造工程の合理化を図ることができ、もって製造時における生産性を向上させることが可能となる。
【００３０】
なお、上述した実施例におけるストッパブロックの平面形は、略矩形状に敷設されたアンテナ線の隣合う２辺を保持するべく略Ｌ字形状を呈しているが、携帯電話機の設計仕様によっては、上記アンテナ線の１辺のみを保持する略Ｉ字形状、上記アンテナ線の３辺を保持する略コ字形状、さらには上記アンテナ線の全周を保持する略矩形状のリングとすることも可能である。
【００３１】
さらに、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、非接触型近接通信モジュールを搭載した様々な電子機器においても、本発明が極めて有効に適用し得るものであることは言うまでもない。
【図面の簡単な説明】
【００３２】
【図１】(ａ)および(ｂ)は、非接触型近接通信モジュールを搭載した本発明に関わる電子機器の一実施例を示す携帯電話機の正面側斜視図および背面側斜視図。
【図２】図１に示した携帯電話機の下筐体を下外ケースの内方側から観た平面図。
【図３】図１に示した携帯電話機における下筐体の下外ケース、アンテナユニットおよびストッパブロックの分解斜視図。
【図４】(ａ)、(ｂ)および(ｃ)は、図１に示した携帯電話機におけるストッパブロックの上面図、側面図および底面図。
【図５】図１に示した携帯電話機の下筐体を下内ケースの内方側から観たアンテナユニットのアンテナ線と回路基板上の金属部品との相対位置を示した平面図。
【図６】図２中の VI−VI 線断面図。
【図７】図２中の VII−VII 線断面図。
【図８】図２中の VIII−VIII 線断面図。
【図９】図２中の IX−IX 線断面図。
【図１０】(ａ)および(ｂ)は、非接触型近接通信モジュールを搭載した従来の携帯電話機を示す正面側斜視図および背面側斜視図。
【図１１】図１０に示した携帯電話機における下筐体の分解斜視図。
【図１２】(ａ)および(ｂ)は、図１０の下筐体(下外ケース)に対するアンテナ線の取付け態様を示す平面図および要部断面図。
【符号の説明】
【００３３】
１…携帯電話機(電子機器)、
２…下筐体(機器筐体)、
２ｏ…下外ケース、
２ｉ…下内ケース、
５…回路基板、
６…アンテナユニット、
６ａ…アンテナ線、
６ｂ…アンテナ基板、
７…ストッパブロック、
８Ａ、８Ｂ…磁性体シート、
１０…マイクロＳＤコネクタ(金属部品)、
１１…シールドケース(金属部品)、
１２…インターフェイスコネクタ(金属部品)。
【図１】
2008136105.tif 000003
【図２】
2008136105.tif 000004
【図３】
2008136105.tif 000005
【図４】
2008136105.tif 000006
【図５】
2008136105.tif 000007
【図６】
2008136105.tif 000008
【図７】
2008136105.tif 000009
【図８】
2008136105.tif 000010
【図９】
2008136105.tif 000011
【図１０】
2008136105.tif 000012
【図１１】
2008136105.tif 000013
【図１２】
2008136105.tif 000014